(57)【特許請求の範囲】
【請求項１】
省略語と、前記省略語に対応するフルスペルと、前記フルスペルの意味で前記省略語が使用された頻度とが対応付けられた省略語リストを管理するリスト管理手段、
前記省略語リストの更新のためのリスト更新用文書から前記省略語を抽出する省略語抽出手段、および、
前記省略語抽出手段によって前記リスト更新用文書から抽出された前記省略語に対応する前記フルスペルの候補を前記リスト更新用文書から抽出するフルスペル抽出手段としてコンピューターを機能させ、
前記リスト管理手段は、前記省略語抽出手段によって前記リスト更新用文書から抽出された前記省略語が、前記フルスペル抽出手段によって抽出された前記フルスペルの候補の意味で、前記リスト更新用文書において使用されている可能性が特定の程度以上である場合、前記省略語と前記フルスペルとに対応付けられた前記頻度を前記省略語リストにおいて増やすことを特徴とする省略語管理プログラム。
【請求項２】
前記リスト更新用文書のカテゴリーを判定するカテゴリー判定手段として前記コンピューターを機能させ、
前記省略語リストは、前記省略語と、前記フルスペルと、前記頻度と、前記カテゴリーとが対応付けられ、
前記リスト管理手段は、前記省略語抽出手段によって前記リスト更新用文書から抽出された前記省略語が、前記フルスペル抽出手段によって抽出された前記フルスペルの候補の意味で、前記リスト更新用文書において使用されている可能性が特定の程度以上である場合、前記省略語と前記フルスペルと前記カテゴリーとに対応付けられた前記頻度を前記省略語リストにおいて増やすことを特徴とする請求項１に記載の省略語管理プログラム。
【請求項３】
前記省略語に対応する前記フルスペルを表示するフルスペル表示手段として前記コンピューターを機能させ、
前記省略語抽出手段は、対象文書から前記省略語を抽出し、
前記フルスペル表示手段は、前記省略語抽出手段によって前記対象文書から抽出された前記省略語に前記省略語リストにおいて対応付けられた前記フルスペルを、前記省略語リストにおいて前記省略語と前記フルスペルとに対応付けられた前記頻度に基づく確度とともに表示することを特徴とする請求項１または請求項２に記載の省略語管理プログラム。
【請求項４】
前記省略語に対応する前記フルスペルを表示するフルスペル表示手段として前記コンピューターを機能させ、
前記省略語抽出手段は、対象文書から前記省略語を抽出し、
前記カテゴリー判定手段は、前記対象文書のカテゴリーを判定し、
前記フルスペル表示手段は、前記省略語抽出手段によって前記対象文書から抽出された前記省略語と、前記カテゴリー判定手段によって判定された前記対象文書の前記カテゴリーとに前記省略語リストにおいて対応付けられた前記フルスペルを、前記省略語リストにおいて前記省略語と前記カテゴリーと前記フルスペルとに対応付けられた前記頻度に基づく確度とともに表示することを特徴とする請求項２に記載の省略語管理プログラム。
【請求項５】
前記フルスペル表示手段によって表示された前記フルスペルのうち選択されたフルスペルを、前記対象文書のうち、前記フルスペルの前記フルスペル表示手段による表示の基になった前記省略語の位置に入力するフルスペル入力手段として前記コンピューターを機能させることを特徴とする請求項３または請求項４に記載の省略語管理プログラム。
【請求項６】
省略語と、前記省略語に対応するフルスペルと、前記フルスペルの意味で前記省略語が使用された頻度とが対応付けられた省略語リストを管理するリスト管理手段と、
前記省略語リストの更新のためのリスト更新用文書から前記省略語を抽出する省略語抽出手段と、
前記省略語抽出手段によって前記リスト更新用文書から抽出された前記省略語に対応する前記フルスペルの候補を前記リスト更新用文書から抽出するフルスペル抽出手段とを備え、
前記リスト管理手段は、前記省略語抽出手段によって前記リスト更新用文書から抽出された前記省略語が、前記フルスペル抽出手段によって抽出された前記フルスペルの候補の意味で、前記リスト更新用文書において使用されている可能性が特定の程度以上である場合、前記省略語と前記フルスペルとに対応付けられた前記頻度を前記省略語リストにおいて増やすことを特徴とする省略語管理装置。
【請求項７】
省略語と、前記省略語に対応するフルスペルと、前記フルスペルの意味で前記省略語が使用された頻度とが対応付けられた省略語リストを利用して前記省略語に対応する前記フルスペルを表示するフルスペル表示手段、および、
対象文書から前記省略語を抽出する省略語抽出手段としてコンピューターを機能させ、
前記フルスペル表示手段は、前記省略語抽出手段によって前記対象文書から抽出された前記省略語に前記省略語リストにおいて対応付けられた前記フルスペルを、前記省略語リストにおいて前記省略語と、前記フルスペルとに対応付けられた前記頻度に基づく確度とともに表示することを特徴とするフルスペル表示プログラム。
【請求項８】
前記対象文書のカテゴリーを判定するカテゴリー判定手段として前記コンピューターを機能させ、
前記省略語リストは、前記省略語と、前記フルスペルと、前記頻度と、前記カテゴリーとが対応付けられ、
前記フルスペル表示手段は、前記省略語抽出手段によって前記対象文書から抽出された前記省略語と、前記カテゴリー判定手段によって判定された前記対象文書の前記カテゴリーとに前記省略語リストにおいて対応付けられた前記フルスペルを、前記省略語リストにおいて前記省略語と前記カテゴリーと前記フルスペルとに対応付けられた前記頻度に基づく前記確度とともに表示することを特徴とする請求項７に記載のフルスペル表示プログラム。
【請求項９】
前記フルスペル表示手段によって表示された前記フルスペルのうち選択されたフルスペルを、前記対象文書のうち、前記フルスペルの前記フルスペル表示手段による表示の基になった前記省略語の位置に入力するフルスペル入力手段として前記コンピューターを機能させることを特徴とする請求項７または請求項８に記載のフルスペル表示プログラム。
【請求項１０】
省略語と、前記省略語に対応するフルスペルと、前記フルスペルの意味で前記省略語が使用された頻度とが対応付けられた省略語リストを利用して前記省略語に対応する前記フルスペルを表示するフルスペル表示手段と、
対象文書から前記省略語を抽出する省略語抽出手段とを備え、
前記フルスペル表示手段は、前記省略語抽出手段によって前記対象文書から抽出された前記省略語に前記省略語リストにおいて対応付けられた前記フルスペルを、前記省略語リストにおいて前記省略語と前記フルスペルとに対応付けられた前記頻度に基づく確度とともに表示することを特徴とするフルスペル表示装置。
【発明の詳細な説明】
【技術分野】
【０００１】
本発明は、省略語と、省略語に対応するフルスペルとの対応関係を扱う省略語管理プログラム、省略語管理装置、フルスペル表示プログラムおよびフルスペル表示装置に関する。
【背景技術】
【０００２】
英字の頭文字を繋げた省略語など、フルスペルの省略語が知られている。従来、省略語に対応するフルスペルを、この省略語が含まれる文書のトピックに応じて１つだけ選択する方法が知られている（特許文献１参照。）。
【先行技術文献】
【特許文献】
【０００３】
【特許文献１】特開２０１１−２２７７４９号公報
【発明の概要】
【発明が解決しようとする課題】
【０００４】
しかしながら、たとえ１つの分野内であっても、１つの省略語が、互いに全く異なる複数のフルスペルの省略語として使用される場合がある。例えば、「MFP」という省略語は、「Multifunction Peripheral」、「Multifunction Product」、「Multifunction Printer」など、様々なフルスペルの省略語として使用される場合がある。したがって、１つの省略語を、１つのフルスペルの省略語として自動的に決めることが適切ではない場合がある。
【０００５】
そこで、本発明は、文書に含まれる省略語に対応するフルスペルと、このフルスペルの確度とを利用者に提示することができる省略語管理プログラム、省略語管理装置、フルスペル表示プログラムおよびフルスペル表示装置を提供することを目的とする。
【課題を解決するための手段】
【０００６】
本発明の省略語管理プログラムは、省略語と、前記省略語に対応するフルスペルと、前記フルスペルの意味で前記省略語が使用された頻度とが対応付けられた省略語リストを管理するリスト管理手段、前記省略語リストの更新のためのリスト更新用文書から前記省略語を抽出する省略語抽出手段、および、前記省略語抽出手段によって前記リスト更新用文書から抽出された前記省略語に対応する前記フルスペルの候補を前記リスト更新用文書から抽出するフルスペル抽出手段としてコンピューターを機能させ、前記リスト管理手段は、前記省略語抽出手段によって前記リスト更新用文書から抽出された前記省略語が、前記フルスペル抽出手段によって抽出された前記フルスペルの候補の意味で、前記リスト更新用文書において使用されている可能性が特定の程度以上である場合、前記省略語と前記フルスペルとに対応付けられた前記頻度を前記省略語リストにおいて増やすことを特徴とする。
【０００７】
この構成により、本発明の省略語管理プログラムは、リスト更新用文書に基づいて省略語リストを自動的に更新するので、文書に含まれる省略語に対応するフルスペルと、このフルスペルの意味でこの省略語が使用された頻度に基づく、このフルスペルの確度とを利用者に提示するための省略語リストを提供することができる。
【０００８】
また、本発明の省略語管理プログラムは、前記リスト更新用文書のカテゴリーを判定するカテゴリー判定手段として前記コンピューターを機能させ、前記省略語リストは、前記省略語と、前記フルスペルと、前記頻度と、前記カテゴリーとが対応付けられ、前記リスト管理手段は、前記省略語抽出手段によって前記リスト更新用文書から抽出された前記省略語が、前記フルスペル抽出手段によって抽出された前記フルスペルの候補の意味で、前記リスト更新用文書において使用されている可能性が特定の程度以上である場合、前記省略語と前記フルスペルと前記カテゴリーとに対応付けられた前記頻度を前記省略語リストにおいて増やしても良い。
【０００９】
この構成により、本発明の省略語管理プログラムは、リスト更新用文書に基づいて省略語リストを自動的に更新するので、特定のカテゴリーに属する文書に含まれる省略語に対応するフルスペルと、このフルスペルの意味でこの省略語が使用された頻度に基づく、このフルスペルの確度とを利用者に提示するための省略語リストを提供することができる。すなわち、本発明の省略語管理プログラムは、文書に含まれる省略語に対応するフルスペルと、このフルスペルの確度とを更に適切に利用者に提示するための省略語リストを提供することができる。
【００１０】
また、本発明の省略語管理プログラムは、前記省略語に対応する前記フルスペルを表示するフルスペル表示手段として前記コンピューターを機能させ、前記省略語抽出手段は、対象文書から前記省略語を抽出し、前記フルスペル表示手段は、前記省略語抽出手段によって前記対象文書から抽出された前記省略語に前記省略語リストにおいて対応付けられた前記フルスペルを、前記省略語リストにおいて前記省略語と前記フルスペルとに対応付けられた前記頻度に基づく確度とともに表示しても良い。
【００１１】
この構成により、本発明の省略語管理プログラムは、対象文書から抽出された省略語に対応付けられたフルスペルを、この省略語と、このフルスペルとに省略語リストにおいて対応付けられた頻度に基づく確度とともに表示するので、対象文書に含まれる省略語に対応するフルスペルと、このフルスペルの確度とを利用者に提示することができる。
【００１２】
また、本発明の省略語管理プログラムは、前記省略語に対応する前記フルスペルを表示するフルスペル表示手段として前記コンピューターを機能させ、前記省略語抽出手段は、対象文書から前記省略語を抽出し、前記カテゴリー判定手段は、前記対象文書のカテゴリーを判定し、前記フルスペル表示手段は、前記省略語抽出手段によって前記対象文書から抽出された前記省略語と、前記カテゴリー判定手段によって判定された前記対象文書の前記カテゴリーとに前記省略語リストにおいて対応付けられた前記フルスペルを、前記省略語リストにおいて前記省略語と前記カテゴリーと前記フルスペルとに対応付けられた前記頻度に基づく確度とともに表示しても良い。
【００１３】
この構成により、本発明の省略語管理プログラムは、対象文書から抽出された省略語に対応付けられたフルスペルを、この省略語と、この対象文書のカテゴリーと、このフルスペルとに省略語リストにおいて対応付けられた頻度に基づく確度とともに表示するので、特定のカテゴリーに属する対象文書に含まれる省略語に対応するフルスペルと、このフルスペルの確度とを利用者に提示することができる。
【００１４】
また、本発明の省略語管理プログラムは、前記フルスペル表示手段によって表示された前記フルスペルのうち選択されたフルスペルを、前記対象文書のうち、前記フルスペルの前記フルスペル表示手段による表示の基になった前記省略語の位置に入力するフルスペル入力手段として前記コンピューターを機能させても良い。
【００１５】
この構成により、本発明の省略語管理プログラムは、対象文書のうち省略語の位置に、この省略語に対応するフルスペルを入力するので、対象文書の修正を容易化することができる。
【００１６】
本発明の省略語管理装置は、省略語と、前記省略語に対応するフルスペルと、前記フルスペルの意味で前記省略語が使用された頻度とが対応付けられた省略語リストを管理するリスト管理手段と、前記省略語リストの更新のためのリスト更新用文書から前記省略語を抽出する省略語抽出手段と、前記省略語抽出手段によって前記リスト更新用文書から抽出された前記省略語に対応する前記フルスペルの候補を前記リスト更新用文書から抽出するフルスペル抽出手段とを備え、前記リスト管理手段は、前記省略語抽出手段によって前記リスト更新用文書から抽出された前記省略語が、前記フルスペル抽出手段によって抽出された前記フルスペルの候補の意味で、前記リスト更新用文書において使用されている可能性が特定の程度以上である場合、前記省略語と前記フルスペルとに対応付けられた前記頻度を前記省略語リストにおいて増やすことを特徴とする。
【００１７】
この構成により、本発明の省略語管理装置は、リスト更新用文書に基づいて省略語リストを自動的に更新するので、文書に含まれる省略語に対応するフルスペルと、このフルスペルの意味でこの省略語が使用された頻度に基づく、このフルスペルの確度とを利用者に提示するための省略語リストを提供することができる。
【００１８】
本発明のフルスペル表示プログラムは、省略語と、前記省略語に対応するフルスペルと、前記フルスペルの意味で前記省略語が使用された頻度とが対応付けられた省略語リストを利用して前記省略語に対応する前記フルスペルを表示するフルスペル表示手段、および、対象文書から前記省略語を抽出する省略語抽出手段としてコンピューターを機能させ、前記フルスペル表示手段は、前記省略語抽出手段によって前記対象文書から抽出された前記省略語に前記省略語リストにおいて対応付けられた前記フルスペルを、前記省略語リストにおいて前記省略語と前記フルスペルとに対応付けられた前記頻度に基づく確度とともに表示することを特徴とする。
【００１９】
この構成により、本発明のフルスペル表示プログラムは、対象文書から抽出された省略語に対応付けられたフルスペルを、この省略語と、このフルスペルとに省略語リストにおいて対応付けられた頻度に基づく確度とともに表示するので、対象文書に含まれる省略語に対応するフルスペルと、このフルスペルの確度とを利用者に提示することができる。
【００２０】
また、本発明のフルスペル表示プログラムは、前記対象文書のカテゴリーを判定するカテゴリー判定手段として前記コンピューターを機能させ、前記省略語リストは、前記省略語と、前記フルスペルと、前記頻度と、前記カテゴリーとが対応付けられ、前記フルスペル表示手段は、前記省略語抽出手段によって前記対象文書から抽出された前記省略語と、前記カテゴリー判定手段によって判定された前記対象文書の前記カテゴリーとに前記省略語リストにおいて対応付けられた前記フルスペルを、前記省略語リストにおいて前記省略語と前記カテゴリーと前記フルスペルとに対応付けられた前記頻度に基づく前記確度とともに表示しても良い。
【００２１】
この構成により、本発明のフルスペル表示プログラムは、対象文書から抽出された省略語に対応付けられたフルスペルを、この省略語と、この対象文書のカテゴリーと、このフルスペルとに省略語リストにおいて対応付けられた頻度に基づく確度とともに表示するので、特定のカテゴリーに属する対象文書に含まれる省略語に対応するフルスペルと、このフルスペルの確度とを利用者に提示することができる。
【００２２】
また、本発明のフルスペル表示プログラムは、前記フルスペル表示手段によって表示された前記フルスペルのうち選択されたフルスペルを、前記対象文書のうち、前記フルスペルの前記フルスペル表示手段による表示の基になった前記省略語の位置に入力するフルスペル入力手段として前記コンピューターを機能させても良い。
【００２３】
この構成により、本発明のフルスペル表示プログラムは、対象文書のうち省略語の位置に、この省略語に対応するフルスペルを入力するので、対象文書の修正を容易化することができる。
【００２４】
本発明のフルスペル表示装置は、省略語と、前記省略語に対応するフルスペルと、前記フルスペルの意味で前記省略語が使用された頻度とが対応付けられた省略語リストを利用して前記省略語に対応する前記フルスペルを表示するフルスペル表示手段と、対象文書から前記省略語を抽出する省略語抽出手段とを備え、前記フルスペル表示手段は、前記省略語抽出手段によって前記対象文書から抽出された前記省略語に前記省略語リストにおいて対応付けられた前記フルスペルを、前記省略語リストにおいて前記省略語と前記フルスペルとに対応付けられた前記頻度に基づく確度とともに表示することを特徴とする。
【００２５】
この構成により、本発明のフルスペル表示装置は、対象文書から抽出された省略語に対応付けられたフルスペルを、この省略語と、このフルスペルとに省略語リストにおいて対応付けられた頻度に基づく確度とともに表示するので、対象文書に含まれる省略語に対応するフルスペルと、このフルスペルの確度とを利用者に提示することができる。
【発明の効果】
【００２６】
本発明の省略語管理プログラム、省略語管理装置、フルスペル表示プログラムおよびフルスペル表示装置は、文書に含まれる省略語に対応するフルスペルと、このフルスペルの確度とを利用者に提示することができる。
【図面の簡単な説明】
【００２７】
【図１】本発明の一実施の形態に係る省略語管理システムのブロック図である。
【図２】図１に示すフルスペル表示装置のブロック図である。
【図３】図１に示す省略語管理装置のブロック図である。
【図４】図３に示す省略語リストの一例を示す図である。
【図５】省略語リストを更新する場合の図３に示す省略語管理装置の動作のフローチャートである。
【図６】省略語に対応するフルスペルを表示する場合の図２に示すフルスペル表示装置の動作のフローチャートである。
【図７】（ａ）図２に示す表示部に表示される対象文書の一例を示す図である。（ｂ）図７（ａ）に示す対象文書に対してフルスペルおよび確度が表示された状態を示す図である。
【図８】図７（ａ）に示す対象文書に対してフルスペルが追加された状態を示す図である。
【発明を実施するための形態】
【００２８】
以下、本発明の一実施の形態について、図面を用いて説明する。
【００２９】
まず、本実施の形態に係る省略語管理システム１０の構成について説明する。
【００３０】
図１は、本実施の形態に係る省略語管理システム１０のブロック図である。
【００３１】
図１に示すように、省略語管理システム１０は、文書に含まれる省略語に対応するフルスペルを表示するフルスペル表示装置２０を含む複数のフルスペル表示装置と、省略語、および、この省略語に対応するフルスペルを管理する省略語管理装置３０とを備えている。
【００３２】
省略語管理システム１０内の複数のフルスペル表示装置と、省略語管理装置３０とは、インターネットなどのネットワーク１１を介して互いに通信可能である。
【００３３】
省略語管理システム１０内の複数のフルスペル表示装置のそれぞれの構成は、フルスペル表示装置２０の構成と同様である。したがって、以下においては、省略語管理システム１０内の複数のフルスペル表示装置を代表してフルスペル表示装置２０について説明する。
【００３４】
図２は、フルスペル表示装置２０のブロック図である。
【００３５】
図２に示すように、フルスペル表示装置２０は、種々の操作が入力されるマウスやキーボードなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、ネットワーク１１（図１参照。）経由で外部の装置と通信するネットワーク通信デバイスであるネットワーク通信部２３と、プログラムおよび各種のデータを記憶しているＨＤＤ（Ｈａｒｄ  Ｄｉｓｋ  Ｄｒｉｖｅ）などの記憶デバイスである記憶部２４と、フルスペル表示装置２０全体を制御する制御部２５とを備えている。フルスペル表示装置２０は、例えばＰＣ（Ｐｅｒｓｏｎａｌ  Ｃｏｍｐｕｔｅｒ）などのコンピューターによって構成されている。
【００３６】
記憶部２４は、省略語に対応するフルスペルを表示するためのフルスペル表示プログラム２４ａを記憶している。フルスペル表示プログラム２４ａは、フルスペル表示装置２０の製造段階でフルスペル表示装置２０にインストールされていても良いし、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの記憶媒体からフルスペル表示装置２０に追加でインストールされても良いし、ネットワーク１１上からフルスペル表示装置２０に追加でインストールされても良い。
【００３７】
制御部２５は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２４に記憶されているプログラムを実行する。
【００３８】
制御部２５は、記憶部２４に記憶されているフルスペル表示プログラム２４ａを実行することによって、省略語に対応するフルスペルを表示するフルスペル表示手段２５ａ、対象文書から省略語を抽出する省略語抽出手段２５ｂ、対象文書のカテゴリーを判定するカテゴリー判定手段２５ｃ、および、対象文書のうち省略語の位置に、この省略語に対応するフルスペルを入力するフルスペル入力手段２５ｄとして機能する。
【００３９】
図３は、省略語管理装置３０のブロック図である。
【００４０】
図３に示すように、省略語管理装置３０は、種々の操作が入力されるマウスやキーボードなどの入力デバイスである操作部３１と、種々の情報を表示するＬＣＤなどの表示デバイスである表示部３２と、ネットワーク１１（図１参照。）経由で外部の装置と通信するネットワーク通信デバイスであるネットワーク通信部３３と、プログラムおよび各種のデータを記憶しているＨＤＤなどの記憶デバイスである記憶部３４と、省略語管理装置３０全体を制御する制御部３５とを備えている。省略語管理装置３０は、例えばＰＣなどのコンピューターによって構成されている。
【００４１】
記憶部３４は、省略語と、この省略語に対応するフルスペルとを管理するための省略語管理プログラム３４ａを記憶している。省略語管理プログラム３４ａは、省略語管理装置３０の製造段階で省略語管理装置３０にインストールされていても良いし、ＣＤ、ＤＶＤなどの記憶媒体から省略語管理装置３０に追加でインストールされても良いし、ネットワーク１１上から省略語管理装置３０に追加でインストールされても良い。
【００４２】
また、記憶部３４は、省略語が登録されている省略語リスト３４ｂを記憶している。
【００４３】
図４は、省略語リスト３４ｂの一例を示す図である。
【００４４】
図４に示すように、省略語リスト３４ｂには、省略語と、この省略語に対応するフルスペルと、このフルスペルの意味でこの省略語が使用された文書のカテゴリーと、このカテゴリーに属する文書においてこのフルスペルの意味でこの省略語が使用された頻度とが少なくとも対応付けられている。カテゴリーとしては、例えば、図４に示すように、“Information Technology”などがある。
【００４５】
図３に示すように、記憶部３４は、大量の言語情報を含むコーパス３４ｃを記憶している。
【００４６】
制御部３５は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部３４に記憶されているプログラムを実行する。
【００４７】
制御部３５は、記憶部３４に記憶されている省略語管理プログラム３４ａを実行することによって、省略語リスト３４ｂを管理するリスト管理手段３５ａ、省略語リスト３４ｂの更新のためのリスト更新用文書から省略語を抽出する省略語抽出手段３５ｂ、省略語抽出手段３５ｂによってリスト更新用文書から抽出された省略語に対応するフルスペルの候補をリスト更新用文書から抽出するフルスペル抽出手段３５ｃ、および、リスト更新用文書のカテゴリーを判定するカテゴリー判定手段３５ｄとして機能する。
【００４８】
次に、省略語管理システム１０の動作について説明する。
【００４９】
まず、省略語リスト３４ｂの更新について説明する。
【００５０】
省略語管理装置３０の制御部３５は、特定の周期で省略語管理プログラム３４ａを実行することによって、図５に示す動作を繰り返す。
【００５１】
図５は、省略語リスト３４ｂを更新する場合の省略語管理装置３０の動作のフローチャートである。
【００５２】
図５に示すように、制御部３５のリスト管理手段３５ａは、ネットワーク通信部３３を介してＷｅｂ上から特定の条件で文書をリスト更新用文書として複数収集する（Ｓ１０１）。
【００５３】
次いで、リスト管理手段３５ａは、Ｓ１０１において収集した複数のリスト更新用文書のうち未だ対象にしていない１つのリスト更新用文書を対象にする（Ｓ１０２）。
【００５４】
次いで、省略語抽出手段３５ｂは、対象のリスト更新用文書に対する省略語の検索を実行する（Ｓ１０３）。例えば、省略語抽出手段３５ｂは、３文字以上のアルファベットの大文字のみで構成された単語を省略語として抽出する。
【００５５】
次いで、リスト管理手段３５ａは、Ｓ１０３において省略語が抽出されたか否かを判断する（Ｓ１０４）。
【００５６】
リスト管理手段３５ａは、省略語が抽出されたとＳ１０４において判断すると、Ｓ１０３において抽出された省略語のうち未だ対象にしていない１つの省略語を対象にする（Ｓ１０５）。
【００５７】
次いで、フルスペル抽出手段３５ｃは、対象の省略語に対応するフルスペルの候補の検索を対象のリスト更新用文書に対して実行する（Ｓ１０６）。例えば、フルスペル抽出手段３５ｃは、複数の単語で構成されていて、各語の頭文字が対象の省略語の各文字に対応する言葉をフルスペルの候補として抽出する。
【００５８】
次いで、リスト管理手段３５ａは、Ｓ１０６においてフルスペルの候補が抽出されたか否かを判断する（Ｓ１０７）。
【００５９】
リスト管理手段３５ａは、フルスペルの候補が抽出されたとＳ１０７において判断すると、Ｓ１０６において抽出されたフルスペルの候補のうち未だ対象にしていない１つの候補を対象にする（Ｓ１０８）。
【００６０】
次いで、リスト管理手段３５ａは、対象の省略語が対象のフルスペルの候補の意味で対象のリスト更新用文書において使用されている可能性が特定の程度以上であるか否かを、対象のリスト更新用文書の意味解析によって判断する（Ｓ１０９）。この意味解析としては、公知の任意の意味解析の技術が採用されることが可能である。
【００６１】
カテゴリー判定手段３５ｄは、対象の省略語が対象のフルスペルの候補の意味で対象のリスト更新用文書において使用されている可能性が特定の程度以上であるとＳ１０９において判断されると、対象のリスト更新用文書のカテゴリーをコーパス３４ｃに基づいて判定する（Ｓ１１０）。この判定としては、公知の任意の判定技術が採用されることが可能である。
【００６２】
次いで、リスト管理手段３５ａは、対象の省略語と、対象のフルスペルの候補と同一のフルスペルと、Ｓ１１０において判定されたカテゴリーとに対応付けた頻度を省略語リスト３４ｂにおいて１増やす（Ｓ１１１）。なお、リスト管理手段３５ａは、対象の省略語と、対象のフルスペルの候補と同一のフルスペルと、Ｓ１１０において判定されたカテゴリーとの組み合わせが省略語リスト３４ｂに登録されていない場合には、対象の省略語と、対象のフルスペルの候補と同一のフルスペルと、Ｓ１１０において判定されたカテゴリーと、これらに対応付けられた頻度“１”とを省略語リスト３４ｂに新たに登録することによって、Ｓ１１１の処理を実行する。
【００６３】
リスト管理手段３５ａは、対象の省略語が対象のフルスペルの候補の意味で対象のリスト更新用文書において使用されている可能性が特定の程度未満であるとＳ１０９において判断するか、Ｓ１１１の処理を終了すると、Ｓ１０６において抽出されたフルスペルの候補の全てを対象にしたか否かを判断する（Ｓ１１２）。
【００６４】
リスト管理手段３５ａは、未だ対象にしていないフルスペルの候補が存在するとＳ１１２において判断すると、Ｓ１０８の処理を実行する。
【００６５】
リスト管理手段３５ａは、フルスペルの候補が抽出されなかったとＳ１０７において判断するか、Ｓ１０６において抽出されたフルスペルの候補の全てを対象にしたとＳ１１２において判断すると、Ｓ１０３において抽出された省略語の全てを対象にしたか否かを判断する（Ｓ１１３）。
【００６６】
リスト管理手段３５ａは、未だ対象にしていない省略語が存在するとＳ１１３において判断すると、Ｓ１０５の処理を実行する。
【００６７】
リスト管理手段３５ａは、省略語が抽出されなかったとＳ１０４において判断するか、全ての省略語を対象にしたとＳ１１３において判断すると、Ｓ１０１において収集した複数のリスト更新用文書の全てを対象にしたか否かを判断する（Ｓ１１４）。
【００６８】
リスト管理手段３５ａは、未だ対象にしていないリスト更新用文書が存在するとＳ１１４において判断すると、Ｓ１０２の処理を実行する。
【００６９】
リスト管理手段３５ａは、全てのリスト更新用文書を対象にしたとＳ１１４において判断すると、図５に示す動作を終了する。
【００７０】
なお、リスト管理手段３５ａは、以上において、１つのリスト更新用文書に同一の対象の省略語が複数含まれていたとしても、１つのフルスペルの候補に対して省略語リスト３４ｂにおいて最大で１のみ頻度を増やしている。しかしながら、リスト管理手段３５ａは、省略語リスト３４ｂにおける頻度の増やし方として他の増やし方を採用することも可能である。例えば、リスト管理手段３５ａは、１つのリスト更新用文書に同一の対象の省略語が複数含まれていた場合、その省略語の数だけ省略語リスト３４ｂにおける頻度を増やしても良いし、その省略語が含まれる段落の数だけ省略語リスト３４ｂにおける頻度を増やしても良い。
【００７１】
次に、省略語に対応するフルスペルの表示について説明する。
【００７２】
フルスペル表示装置２０の制御部２５は、文書作成ソフトウェアや電子メールソフトなどのアプリケーションによって操作部２１を介して文書が作成されている場合に、フルスペル表示プログラム２４ａを実行することによって、図６に示すように動作する。
【００７３】
図６は、省略語に対応するフルスペルを表示する場合のフルスペル表示装置２０の動作のフローチャートである。
【００７４】
図６に示すように、制御部２５のカテゴリー判定手段２５ｃは、作成中の文書、すなわち、対象文書のカテゴリーを省略語管理装置３０上のコーパス３４ｃに基づいて判定する（Ｓ１３１）。この判定としては、公知の任意の判定技術が採用されることが可能である。
【００７５】
次いで、省略語抽出手段２５ｂは、対象文書に対する省略語の検索を実行する（Ｓ１３２）。例えば、省略語抽出手段２５ｂは、３文字以上のアルファベットの大文字のみで構成された単語を省略語として抽出する。
【００７６】
次いで、フルスペル表示手段２５ａは、Ｓ１３２において省略語が抽出されたか否かを判断する（Ｓ１３３）。
【００７７】
フルスペル表示手段２５ａは、省略語が抽出されたとＳ１３３において判断すると、Ｓ１３２において抽出された省略語のうち未だ対象にしていない１つの省略語を対象にする（Ｓ１３４）。
【００７８】
次いで、フルスペル表示手段２５ａは、対象の省略語と、Ｓ１３１において判定されたカテゴリーとに省略語管理装置３０上の省略語リスト３４ｂにおいて対応付けられたフルスペルが存在するか否かを判断する（Ｓ１３５）。
【００７９】
フルスペル表示手段２５ａは、フルスペルが存在するとＳ１３５において判断すると、対象の省略語と、Ｓ１３１において判定されたカテゴリーと、このフルスペルとに省略語管理装置３０上の省略語リスト３４ｂにおいて対応付けられた頻度に基づく確度とともに、このフルスペルを表示部２２に表示する（Ｓ１３６）。
【００８０】
例えば、フルスペル表示手段２５ａは、対象文書が図７（ａ）に示すように“ASP”という省略語を含む文書である場合、図７（ｂ）に示すように“ASP”に対応するフルスペルおよび確度を表示部２２に表示する。
【００８１】
図７（ｂ）において、“Application Service Provider”、“Active Server Pages”、“Affiliate Service Provider”がフルスペルである。また、“60％”、“24％”、“16％”が確度である。すなわち、図７（ｂ）には、「“ASP”という省略語は、対象文書のカテゴリーにおいて、60％の確率で“Application Service Provider”という意味で使用されており、24％の確率で“Active Server Pages”という意味で使用されており、16％の確率で“Affiliate Service Provider”という意味で使用されている。」ということが表示されている。
【００８２】
フルスペル表示手段２５ａは、省略語リスト３４ｂにおける頻度の比率で確度を算出可能である。例えば、図４に示す省略語リスト３４ｂにおいて、フルスペルである“Application Service Provider”、“Active Server Pages”、“Affiliate Service Provider”の頻度がそれぞれ15、6、4である。したがって、フルスペル表示手段２５ａは、“Application Service Provider”の確度を１５／（１５＋６＋４）×１００、すなわち、６０％として算出可能である。また、フルスペル表示手段２５ａは、“Active Server Pages”の確度を６／（１５＋６＋４）×１００、すなわち、２４％として算出可能である。また、フルスペル表示手段２５ａは、“Affiliate Service Provider”の確度を４／（１５＋６＋４）×１００、すなわち、１６％として算出可能である。
【００８３】
なお、フルスペル表示手段２５ａは、確度として百分率以外の表示を行っても良い。例えば、フルスペル表示手段２５ａは、確度として、省略語リスト３４ｂにおける頻度そのものを表示しても良い。
【００８４】
図６に示すように、フルスペル入力手段２５ｄは、Ｓ１３６の処理の後、Ｓ１３６において表示されたフルスペルのうち何れか１つが操作部２１を介して選択されたか否かを判断する（Ｓ１３７）。
【００８５】
フルスペル入力手段２５ｄは、フルスペルのうち何れか１つが選択されたとＳ１３７において判断すると、選択されたフルスペルを、対象文書のうち、このフルスペルの表示の基になった省略語の位置に入力する（Ｓ１３８）。
【００８６】
例えば、フルスペル入力手段２５ｄは、図７（ｂ）において“Application Service Provider”が選択された場合、図８に示すように、“Application Service Provider”の表示の基になった省略語“ASP”の位置に、“Application Service Provider”を入力する。
【００８７】
制御部２５は、フルスペルが存在しないとＳ１３５において判断されると、フルスペルを手動で登録するか否かを尋ねるメッセージを表示部２２に表示する（Ｓ１３９）。
【００８８】
次いで、制御部２５は、フルスペルが操作部２１を介して入力されたか否かを判断する（Ｓ１４０）。なお、制御部２５は、キャンセルの指示が操作部２１を介して入力された場合に、フルスペルが入力されなかったとＳ１４０において判断する。
【００８９】
制御部２５は、フルスペルが入力されたとＳ１４０において判断すると、操作部２１を介して入力されたフルスペルを省略語リスト３４ｂに登録することを要求するフルスペル登録要求情報をネットワーク通信部２３を介して省略語管理装置３０に送信する（Ｓ１４１）。ここで、フルスペル登録要求情報には、操作部２１を介して入力されたフルスペルと、対象の省略語と、Ｓ１３１において判定されたカテゴリーとが含まれている。
【００９０】
省略語管理装置３０の制御部３５は、フルスペル表示装置２０から送信されてきたフルスペル登録要求情報をネットワーク通信部３３を介して受信すると、フルスペル登録要求情報に含まれる省略語、フルスペルおよびカテゴリーの組み合わせを頻度“1”に対応付けて省略語リスト３４ｂに登録する。なお、このように手動で登録されるフルスペルは、登録を要求した利用者のみに対してＳ１３５において利用されるフルスペルとして省略語リスト３４ｂに登録されても良いし、登録を要求した利用者が所属する組織の構成員のみに対してＳ１３５において利用されるフルスペルとして省略語リスト３４ｂに登録されても良い。
【００９１】
フルスペル表示手段２５ａは、フルスペルのうち何れも選択されなかったとＳ１３７において判断されるか、Ｓ１３８の処理が終了するか、フルスペルが入力されなかったとＳ１４０において判断されるか、Ｓ１４１の処理が終了すると、Ｓ１３２において抽出された省略語の全てを対象にしたか否かを判断する（Ｓ１４２）。
【００９２】
フルスペル表示手段２５ａは、未だ対象にしていない省略語が存在するとＳ１４２において判断すると、Ｓ１３４の処理を実行する。
【００９３】
フルスペル表示手段２５ａは、省略語が抽出されなかったとＳ１３３において判断するか、全ての省略語を対象にしたとＳ１４２において判断すると、対象文書の作成が終了したか否かを判断する（Ｓ１４３）。
【００９４】
カテゴリー判定手段２５ｃは、対象文書の作成が終了していないとＳ１４３において判断すると、Ｓ１３１の処理を実行する。
【００９５】
フルスペル表示手段２５ａは、対象文書の作成が終了したとＳ１４３において判断すると、図６に示す動作を終了する。
【００９６】
以上に説明したように、省略語管理装置３０は、リスト更新用文書に基づいて省略語リスト３４ｂを自動的に更新する（Ｓ１０１〜Ｓ１１４）ので、特定のカテゴリーに属する文書に含まれる省略語に対応するフルスペルと、このフルスペルの意味でこの省略語が使用された頻度に基づく、このフルスペルの確度とを利用者に提示する（Ｓ１３６）ための省略語リスト３４ｂを提供することができる。
【００９７】
また、フルスペル表示装置２０は、対象文書から抽出された省略語に対応付けられたフルスペルを、この省略語と、この対象文書のカテゴリーと、このフルスペルとに省略語リスト３４ｂにおいて対応付けられた頻度に基づく確度とともに表示する（Ｓ１３６）ので、特定のカテゴリーに属する対象文書に含まれる省略語に対応するフルスペルと、このフルスペルの確度とを利用者に提示することができる。
【００９８】
なお、フルスペル表示装置２０は、省略語リスト３４ｂにおいて文書のカテゴリーが対応付けられていなくても、文書に含まれる省略語に対応するフルスペルと、このフルスペルの確度とを省略語リスト３４ｂによって利用者に提示することができる。しかしながら、フルスペル表示装置２０は、省略語リスト３４ｂにおいて文書のカテゴリーが対応付けられているので、文書に含まれる省略語に対応するフルスペルと、このフルスペルの確度とを省略語リスト３４ｂによって利用者に更に適切に提示することができる。
【００９９】
また、フルスペル表示装置２０は、対象文書のうち省略語の位置に、この省略語に対応するフルスペルを入力する（Ｓ１３８）ので、対象文書の修正を容易化することができる。
【０１００】
フルスペル表示装置２０は、本実施の形態において、作成中の文書を対象文書としている。したがって、フルスペル表示装置２０の利用者は、作成中の文書中で使用する省略語が一般的にどのような意味で使用されるかを確認した上で、文書を作成することができる。例えば、フルスペル表示装置２０の利用者は、誤解を受ける可能性がある省略語を用いないで文書を作成するという選択や、フルスペルから利用者自身で定義した省略語のうち誤解を受ける可能性があるものをフルスペルに基づいて別の省略語に定義し直して文書を作成するという選択を行うことが可能である。
【０１０１】
なお、フルスペル表示装置２０は、本実施の形態において、作成中の文書を対象文書としたが、単に閲覧するのみの文書を対象文書としても良い。
【０１０２】
また、本実施の形態においては、３文字以上のアルファベットの大文字のみで構成された単語を省略語として抽出したが、省略語の抽出方法はこれに限られない。例えば、２文字以上のアルファベットの大文字のみで構成された単語を省略語として抽出しても良い。
【０１０３】
本実施の形態においては、フルスペル表示装置２０と、省略語管理装置３０とが別々のコンピューターによって実現されているが、同一のコンピューターによって実現されても良い。例えば、省略語管理装置３０は、フルスペル表示装置２０の機能を全て備えても良い。
【符号の説明】
【０１０４】
２０  フルスペル表示装置（コンピューター）
２４ａ  フルスペル表示プログラム
２５ａ  フルスペル表示手段
２５ｂ  省略語抽出手段
２５ｃ  カテゴリー判定手段
２５ｄ  フルスペル入力手段
３０  省略語管理装置（コンピューター）
３４ａ  省略語管理プログラム
３４ｂ  省略語リスト
３５ａ  リスト管理手段
３５ｂ  省略語抽出手段
３５ｃ  フルスペル抽出手段
３５ｄ  カテゴリー判定手段
【図１】
0005898153.tif 000002
【図２】
0005898153.tif 000003
【図３】
0005898153.tif 000004
【図４】
0005898153.tif 000005
【図５】
0005898153.tif 000006
【図６】
0005898153.tif 000007
【図７】
0005898153.tif 000008
【図８】
0005898153.tif 000009